(57)【要約】【課題】連結操作が容易でありながら相互に外れにくい仕切体の提供を目的とする。【解決手段】土留め、フェンス等の仕切体であって、仕切体は本体部と脚部とを有し、本体部は一方の側端部に差込片を有し、他方の側端部に沿って前後方向に延在させた側壁にスリット部を有し、複数の仕切体を連結する際に一方の仕切体の差込片を他方の仕切体のスリット部に差込連結するものであり、連結状態にて前記差込片とスリット部との間に相互の移動を規制するロック機構を有することを特徴とする。【選択図】  図１
2015089361.tif 000002
【特許請求の範囲】
【請求項１】
土留め、フェンス等の仕切体であって、
仕切体は本体部と脚部とを有し、
本体部は一方の側端部に差込片を有し、他方の側端部に沿って前後方向に延在させた側壁にスリット部を有し、
複数の仕切体を連結する際に一方の仕切体の差込片を他方の仕切体のスリット部に差込連結するものであり、
連結状態にて前記差込片とスリット部との間に相互の移動を規制するロック機構を有することを特徴とする仕切体。
【請求項２】
前記差込片は本体部の面方向に沿った側方片と、当該側方片の先から前後方向に折り返し延在させた前後方向片を設けることで複数の仕切体を直線連結と直角連結のいずれかに選択可能であることを特徴とする請求項１記載の仕切体。
【請求項３】
前記差込片は側方片にロック孔を有し、前記スリット部は本体部の側壁から側方に突出させた側方突部とスリットの内側前後方向に突出させた前後方向突部とを有し、直線連結の際には前記前後方向突部が前記ロック孔に係止し、直角連結の際には前記側方突部が前記ロック孔に係止するものであることを特徴とする請求項２記載の仕切体。
【発明の詳細な説明】
【技術分野】
【０００１】
本発明は、花壇，園芸，ガーデニング等の分野において、土留め，フェンス等として使用される仕切体に関する。
【背景技術】
【０００２】
花壇，園芸，ガーデニング等の分野においては、内側に土を盛るのに土留め部材を用いたり、土地の境界線を定めるのにフェンス等が用いられている。
例えば、特許文献１には土留め板の一側端に連結パイプを形成し、この連結パイプの上部にキャップ状の連結杆嵌合部を設けるとともに、その外側下方部に支持片回動切欠部を形成し、他の土留め板の一側端に設けた支持片で支持された連結杆を介して複数の土留め板を直線状と直角状のいずれにも連結可能な花壇用の土留柵を開示する。
しかし、同公報に開示する連結構造は端部に連結パイプ及び連結杆を設けなければならず、構造が複雑であり実用的ではない。
特許文献２，３には、直角方向にも連結できるように屈曲可能な連結部を用いたフェンスを開示する。
しかし、同公報に開示するような屈曲性の連結部材を用いると、屈曲部が変形しやすく、仕切形状が不安定となる。
【先行技術文献】
【特許文献】
【０００３】
【特許文献１】実開昭５５−１７６７５９号公報
【特許文献２】特開２０００−３０００７２号公報
【特許文献３】特開２００２−３４５３３５号公報
【発明の概要】
【発明が解決しようとする課題】
【０００４】
本発明は、連結操作が容易でありながら相互に外れにくい仕切体の提供を目的とする。
【課題を解決するための手段】
【０００５】
本発明に係る仕切体は、土留め、フェンス等の仕切体であって、仕切体は本体部と脚部とを有し、本体部は一方の側端部に差込片を有し、他方の側端部に沿って前後方向に延在させた側壁にスリット部を有し、複数の仕切体を連結する際に一方の仕切体の差込片を他方の仕切体のスリット部に差込連結するものであり、連結状態にて前記差込片とスリット部との間に相互の移動を規制するロック機構を有することを特徴とする。
このように仕切体の一方の側端部に差込片を設け、他方の側端部に設けた側壁にスリット部を形成すると、一の仕切体の差込片を他の仕切体のスリット部に差し込むだけで連結でき、片方の仕切体を持ち上げてもロック機構により他の仕切体が外れるのを防止する。
本明細書では、図１（ａ）の正面図に対して左右方向を側方、紙面に直角方向を前後方向と表現する。
ここで差込片は、仕切体の側端部から側方に向けて片状に突設されていればよく、必ずしも壁部が必要でないがスリット部はスリットを形成するために仕切体の側端部に前後方向に延在させた壁部（側壁）を設けたものである。
【０００６】
本発明において、差込片は側壁から本体部の面方向に沿った側方片と、当該側方片の先から前後方向に折り返し延在させた前後方向片を設けることで複数の仕切体を直線連結と直角連結のいずれかに選択可能であるのが好ましい。
この場合に例えば、差込片は側方片にロック孔を有し、前記スリット部は本体部の側壁から側方に突出させた側方突部とスリットの内側前後方向に突出させた前後方向突部とを有し、直線連結の際には前記前後方向突部が前記ロック孔に係止し、直角連結の際には前記側方突部が前記ロック孔に係止する態様が例として挙げられる。
【発明の効果】
【０００７】
本発明に係る仕切体は、例えば図９に示すように複数の仕切体を直線状及び直角状に連結し、花壇の土留めに用いる場合に枠組みした状態で所定の位置に移動することがある。
この場合に本発明に係る仕切体にあっては、スリット部に他の仕切体の差込片を差し込むだけで枠組みができるとともに、枠の状態で移動する際に仕切体同士が外れるのを防止する。
また、直線状に仮連結して移動する場合も同様である。
【図面の簡単な説明】
【０００８】
【図１】本発明係る仕切体１０の例を示し、（ａ）は正面図、（ｂ），（ｃ）は側面図を示す。
【図２】（ａ）は差込片部分の拡大図、（ｂ）はスリット部の拡大図を示す。
【図３】２枚の仕切体を直線状に連結した例を示す。
【図４】２枚の仕切体を直角状に連結した例を示す。
【図５】直線状に連結する場合の連結部拡大図を示す。（ａ）は連結前、（ｂ）は連結後を示す。
【図６】直線状連結の連結部断面図を示し、（ａ）は連結前、（ｂ）は連結後を示す。
【図７】直角状連結の連結部斜視図を示し、（ａ）は連結前、（ｂ）は連結後を示す。
【図８】直角状に連結する場合の連結部断面図を示し、（ａ）は連結前、（ｂ）は連結後を示す。
【図９】花壇の土留めの例を示す。
【発明を実施するための形態】
【０００９】
本発明に係る仕切体１０の例を以下図面に基づいて説明するが、本発明は本実施例に限定されない。
【００１０】
図１に本発明に係る仕切体１０の外観図を示し、（ａ）は正面図、（ｂ）は差込片１３側の側面図を示し、（ｃ）はスリット部１４側の側面図を示すが、本体部１１の左右どちら側に差込片１３を設けてもよい。
図２に差込片１３とスリット部１４の拡大図を示す。
仕切体１０は、パネル状の本体部１１とその下部に土中に差し込み、立設するための脚部１２を複数本有する。
本体部１１の一方の側壁１１ａに設けた差込片１３は、図２（ａ）に示すように側壁１１ａからこの側壁に沿って上下方向に延在し、本体部１１の面方向に沿って側方に突設した側方片１３ｂを有し、この側方片１３ｂから後方に約直角に折り返した前後方向片１３ｃを有する。
この前後方向片１３ｃの先は、さらに外側側方に約直角に折り返した折返側方片１３ｄを有する。
側方片１３ｂの下部側には、貫通した孔状のロック孔１３ａを有する。
本実施例では、この側方片１３ｂの表面に沿って突片１３ｅを形成してある。
なお、本体部１１の側端部から側方片１３ｂを設けることができるものであればよく、この側壁は必ずしも必要ではない。
【００１１】
スリット部１４は、図２（ｂ）に示すように本体部１１の表面から後方に向けて形成した側壁を下部が開口したスリット部１４になっている。
スリット部１４は、本体部の表面側に沿って上下方向に延在させた側壁基部１１ｂと下部に開口部１４ｃを有し、上部につなぎ部１４ｄを有するように隙間（スリット）を介して設けた側壁端部１１ｃからなる。
側壁基部１１ｂは、前記ロック孔１３ａの高さに合せてスリット側に突出した前後方向突部１４ａを有し、側壁端部１１ｃはロック孔１３ａの高さに合せ、側方に突出させた側方突部１４ｂを有する。
本実施例では、側壁端部１１ｃに沿って上下方向の突状リブ１４ｅを有する。
また、スリット部１４側の側壁は、スリットを形成できるように本体部の側端部に沿って且つ、前後方向に延在した壁部を有するものであれば本実施例に限定されない。
【００１２】
このような仕切体の構造にしたので、図３に示すように直線状に連結することも図４に示すように直角状に連結することもできる。
なお、直線状及び直角状と表現したのは、連結部に有する遊び代の範囲で必ずしも１８０°や９０°である必要はない。
【００１３】
図５，６に直線状に連結する場合の斜視図及び断面図を示す。
図５（ａ）に示すように、一の仕切体１０のスリット部１４の開口部１４ｃに他の仕切体１０の差込片１３を差し込む。
この場合に図６（ａ）に示すようにスリット部１４を有する側壁の内側には差込片１３の挿入開口部１４ｆを有し、側方片１３ｂがスリット部１４のスリットに沿って差し込まれ、側壁基部１１ｂに形成した前後方向突部１４ａが他の仕切体のロック孔１３ａに係止する。
連結状態では、差込片１３に設けた突片１３ｅが側壁基部１１ｂの内側に干渉するようになっている。
【００１４】
図７，８に直角状に連結する場合の斜視図及び断面図を示す。
この場合は、差込片１３の前後方向片１３ｃをスリット部１４のスリット（隙間）に沿って差し込むことになる。
今度は、側壁端部１１ｃに設けた側方突部１４ｂが他の仕切体１０のロック孔１３ａに係止することになる。
従って、本実施例ではロック孔１３ａは直線状と直角状の連結の両方において共通に使用できる。
本実施例では、図８（ｂ）に示すように折返側方片１３ｄが側壁基部１１ｂの内側に干渉し、側方片１３ｂの裏面が突状リブ１４ｅに干渉する。
【符号の説明】
【００１５】
１０      仕切体
１１      本体部
１１ａ    側壁
１１ｂ    側壁基部
１１ｃ    側壁端部
１２      脚部
１３      差込片
１３ａ    ロック孔
１３ｂ    側方片
１３ｃ    前後方向片
１３ｄ    折返側方片
１３ｅ    突片
１４      スリット部
１４ａ    前後方向突部
１４ｂ    側方突部
１４ｄ    つなぎ部
【図１】
2015089361.tif 000003
【図２】
2015089361.tif 000004
【図３】
2015089361.tif 000005
【図４】
2015089361.tif 000006
【図５】
2015089361.tif 000007
【図６】
2015089361.tif 000008
【図７】
2015089361.tif 000009
【図８】
2015089361.tif 000010
【図９】
2015089361.tif 000011